(57)【要約】【課題】ユーザーが別途カバーを購入する必要がなく、また装置の設計の自由度を低下させることなしに、記録装置において塵埃等の侵入の虞がある開口部を覆うことのできる手段を提供する。【解決手段】インクジェットプリンター１の制御部２０は、インクジェットプリンター１の開口部（用紙給送口９及び用紙排出口４）を覆うカバー（用紙給送口カバー４０及び用紙排出口カバー４１）をペーパークラフトにより作成する際に用紙に形成すべき輪郭線及び折り曲げ線を用紙に記録する記録モードを備えている。これによりユーザーは別途カバーを購入することなく、前記記録モードを実行してカバーを作成することが可能となる。また、作成したカバーを紛失・破損した場合であっても、容易に且つ速やかに、再び同じカバーを得ることができる。更に装置の構成要素をカバーとして兼用する必要もなく、装置の設計の自由度が低下することを防止できる。【選択図】図４
2011042476.tif 000002
【特許請求の範囲】
【請求項１】
被記録媒体に記録を行う記録手段と、
前記記録手段を制御する制御部と、を備えた記録装置であって、
前記制御部は、前記記録装置の開口部を覆うカバーをペーパークラフトにより作成する際に被記録媒体に形成すべき輪郭線及び折り曲げ線を前記記録手段によって被記録媒体に記録する記録モードを備えている、
ことを特徴とする記録装置。
【請求項２】
請求項１に記載の記録装置において、被記録媒体をセットする被記録媒体セット用開口部を備え、
前記記録モードは、前記被記録媒体セット用開口部を覆うカバー作成用の前記輪郭線及び前記折り曲げ線を被記録媒体に記録する、
ことを特徴とする記録装置。
【請求項３】
請求項１に記載の記録装置において、記録の行われた被記録媒体を排出する被記録媒体排出用開口部を備え、
前記記録モードは、前記被記録媒体排出用開口部を覆うカバー作成用の前記輪郭線及び前記折り曲げ線を被記録媒体に記録する、
ことを特徴とする記録装置。
【発明の詳細な説明】
【技術分野】
【０００１】
本発明は、ファクシミリやプリンター等に代表される記録装置に関する。
【背景技術】
【０００２】
ファクシミリやプリンター等に代表される記録装置は、用紙を給送する給送装置を備え、この給送装置から被記録媒体の一例としての記録用紙を一枚ずつ記録部へと送り、記録を実行し、そして用紙を排出する構成を備えている。
【０００３】
ここで、記録装置において給送装置には用紙をセットする為の間口（開口部）が形成されていたり、また記録装置の前面には用紙排出口が形成されている関係上、これらの様な開口部から塵埃が侵入し、装置に悪影響を及ぼす虞がある。
【０００４】
特に、Ｌ判サイズ用紙（８９×１２７ｍｍ）などの小型サイズの用紙に写真を記録する用途を念頭に設計された、小型サイズの持ち運び容易なインクジェットプリンターなどは、屋外に持ち出されて使用される場合もあり、装置内部への塵埃の侵入がより一層生じ易い。
【０００５】
一方、従来から装置内部への塵埃の侵入を防止する手段が提案されている。例えば特許文献１〜４に示されるように、装置とは別体であるカバーにより装置全体或いは必要箇所を覆う手法が提案されている。
【０００６】
また、特許文献５、６に示されるように、装置に一体的に設けられた、本来は他の目的で設けられた構成部材を、塵埃等の侵入を防止するカバーとして兼用するよう構成されたものもある。
【先行技術文献】
【特許文献】
【０００７】
【特許文献１】特開平１０−３０１６８８号公報
【特許文献２】特開２０００−２８６５８３号公報
【特許文献３】特開平１１−３３４１７５号公報
【特許文献４】特開平０６−３０５１２６号公報
【特許文献５】特開２００１−３０２０６１号公報
【特許文献６】特開２００４−１８１８５３号公報
【発明の概要】
【発明が解決しようとする課題】
【０００８】
上記特許文献１〜４に示される様な、装置とは別体であるカバーによって装置全体或いは必要箇所を覆う手法においては、ユーザーは装置本体とは別のオプション品であるカバーを購入せざるを得ず、ユーザーによっては必ずしもカバーを購入して装置開口部を覆った状態にするとは限らない。また、装置本体に同梱されている場合であっても、一度紛失等した場合には、改めて購入する必要がある。
【０００９】
また、上記特許文献５、６に示される様な、装置に一体的に設けられた部材であって、本来は他の目的で設けられた構成部材を、カバーとして兼用する場合には装置の設計の自由度が低下し、また場合によってはコストアップを招くこともある。
【００１０】
そこで本発明はこの様な状況に鑑みなされたものであり、その目的は、ユーザーが別途カバーを購入する必要がなく、また装置の設計の自由度を低下させることなしに、記録装置において塵埃等の侵入の虞がある開口部を覆うことのできる手段を提供することにある。
【課題を解決するための手段】
【００１１】
上記課題を解決するために、本発明の第１の態様は、被記録媒体に記録を行う記録手段と、前記記録手段を制御する制御部と、を備えた記録装置であって、前記制御部は、前記記録装置の開口部を覆うカバーをペーパークラフトにより作成する際に被記録媒体に形成すべき輪郭線及び折り曲げ線を前記記録手段によって被記録媒体に記録する記録モードを備えていることを特徴とする。
【００１２】
本態様によれば、記録装置の制御部は、記録装置の開口部を覆うカバーをペーパークラフトにより作成する際に被記録媒体に形成すべき輪郭線及び折り曲げ線を被記録媒体に記録する記録モードを備えているので、記録装置に被記録媒体をセットし、前記記録モードを実行すれば、カバーそれ自体をペーパークラフトにより作成することができる。
【００１３】
従ってユーザーは別途カバーを購入することなく、前記記録モードを実行してカバーを作成することができる上に、作成したカバーを紛失・破損した場合であっても、容易に且つ速やかに、再び同じカバーを得ることができる。また、装置と一体的に設けられた、本来は他の目的で設けられた構成要素をカバーとして兼用する必要もなく、装置の設計の自由度が低下することを防止できる。
【００１４】
本発明の第２の態様は、第１の態様において、被記録媒体をセットする被記録媒体セット用開口部を備え、前記記録モードは、前記被記録媒体セット用開口部を覆うカバー作成用の前記輪郭線及び前記折り曲げ線を被記録媒体に記録することを特徴とする。
【００１５】
本態様によれば、記録装置の制御部は、前記被記録媒体セット用開口部を覆うカバー作成用の前記輪郭線及び前記折り曲げ線を被記録媒体に記録するので、大きい開口部である前記被記録媒体セット用開口部を覆うことで、装置内部への塵埃等の侵入を効果的に防止できる。
【００１６】
本発明の第３の態様は、第１の態様において、記録の行われた被記録媒体を排出する被記録媒体排出用開口部を備え、前記記録モードは、前記被記録媒体排出用開口部を覆うカバー作成用の前記輪郭線及び前記折り曲げ線を被記録媒体に記録することを特徴とする。
【００１７】
本態様によれば、記録装置の制御部は、前記被記録媒体排出用開口部を覆うカバー作成用の前記輪郭線及び前記折り曲げ線を被記録媒体に記録するので、大きい開口部である前記被記録媒体セット用開口部を覆うことで、装置内部への塵埃等の侵入を効果的に防止できる。
【図面の簡単な説明】
【００１８】
【図１】本発明に係るインクジェットプリンターの斜視図（カバー非装着状態）。
【図２】本発明に係るインクジェットプリンターの側面図。
【図３】本発明に係るインクジェットプリンターの制御系統のブロック図。
【図４】本発明に係るインクジェットプリンターの斜視図（カバー装着状態）。
【図５】用紙給送口の拡大斜視図。
【図６】用紙給送口を覆う用紙給送口カバーの斜視図。
【図７】用紙排出口を覆う用紙排出口カバーの斜視図。
【図８】用紙給送口を覆う用紙給送口カバー作成用のクラフトペーパーの平面図。
【図９】用紙排出口を覆う用紙排出口カバー作成用のクラフトペーパーの平面図。
【発明を実施するための形態】
【００１９】
以下、図面を参照しながら本発明の実施形態について説明する。図１は本発明の記録装置の一実施形態に係るインクジェットプリンター１（カバー非装着状態）の外観斜視図、図２は同側面図、図３はインクジェットプリンター１の制御系統のブロック図である。
【００２０】
また、図４はインクジェットプリンター１（カバー装着状態）の外観斜視図、図５は用紙給送口９の拡大斜視図、図６は用紙給送口カバー４０の斜視図、図７は用紙排出口カバー４１の斜視図、図８は用紙給送口カバー４０作成用のクラフトペーパーＰ１の平面図、図９は用紙排出口カバー４１作成用のクラフトペーパーＰ２の平面図である。
【００２１】
以下では先ずインクジェットプリンター１の全体的な構成について概説する。本実施形態に係るインクジェットプリンター１は、主としてＬ判サイズ用紙（８９×１２７ｍｍ）などの小型サイズの用紙に写真を記録する用途を念頭に設計された、小型サイズの持ち運び容易なインクジェットプリンターである。そして外部コンピューターとの接続を行うことなくそれ単体で画像データの読み込み、画像の確認、印刷設定、などが可能に構成された、所謂スタンドアロン型のインクジェットプリンターである。
【００２２】
インクジェットプリンター１は、全体が図１及び図２に示すように略箱形の形状を成しており、その上面にはキャリーハンドル２が回動可能に設けられている。キャリーハンドル２の後方側には用紙給送口９を覆う状態（図示せず）と開放する状態（図１の状態）とを切り換え可能な用紙サポート部材３が設けられており、開放状態では、セットされた用紙を背面から支持する機能を果たす。
【００２３】
装置前面には、読み書き可能な記憶媒体（カード状の不揮発性メモリー）を装着可能な記憶媒体装着口６が設けられており、この記憶媒体装着口６に記憶媒体を差し込むことにより、当該記憶媒体に保持されている画像データを読み込むことができる様になっている。
【００２４】
装置本体１ａの上面には、モニター８がチルト（傾動）可能に設けられている。モニター８は例えば液晶ディスプレイにより構成されており、印刷設定などの各種情報表示や、画像データに係る画像の表示など、種々の表示が行われる様になっている。
【００２５】
また装置本体１ａの上面には、インクジェットプリンター１の電源をＯＮ／ＯＦＦするための電源ボタン、各種設定／実行ボタン、などの操作部および各種情報を表示する表示部などを備えた操作部（操作設定部）３８が設けられている。
【００２６】
装置本体１ａの前面には、用紙排出口４が設けられており、記録の行われた用紙は、この用紙排出口４から、装置前方側に向けて排出される。用紙排出口４には、排紙トレイ５が着脱可能に設けられており、用紙排出口４から排出された用紙は、この排紙トレイ５上に積重される。
【００２７】
インクジェットプリンター１において被記録媒体の一例としての用紙に記録を実行する記録実行部は、一般的なインクジェットプリント機構であり、図２に示すように用紙幅方向（図２の紙面表裏方向）に往復動可能に設けられたキャリッジ１１に、記録手段としてのインクジェット記録ヘッド１２が設けられている。
【００２８】
より具体的には、装置本体１ａの後部には図示を省略する給送装置が設けられており、この給送装置にセットされた用紙Ｐが、１枚ずつ下流側に送り出される（図２の矢印ａ）。送り出された用紙Ｐは、搬送ローラー対１４によってインクジェット記録ヘッド１２の下へ精密送りされ、用紙支持部材１３によって支持された状態で記録が実行される。そして記録が実行された用紙Ｐは、排出ローラー対１５によって、排紙トレイ５に向けて排出される（図２の矢印ｂ）。
【００２９】
次いで、図３を参照しながらインクジェットプリンター１の制御系統について説明する。制御部２０はインクジェットプリンター１の各構成を制御する制御部であり、この制御部２０のシステムバスには、制御ＡＳＩＣ２１、ＲＡＭ２２、ＲＯＭ２３、ＥＥＰＲＯＭ２４、ＣＰＵ２５、タイマーＩＣ２６が接続されている。
【００３０】
ＣＰＵ２５には、制御ＡＳＩＣ２１を介してＣＲリニアエンコーダー３３、ＰＦロータリーエンコーダー３４、用紙検出センサー３５、ＰＷセンサー３６、などの各センサー類やエンコーダーからの信号や、操作部３８からの信号も入力される。更に、記憶媒体装着口６に装着された記憶媒体からデータを読み取るデータ読取部３７から読み取られた画像データも入力される。
【００３１】
ＣＰＵ２５は、インクジェットプリンター１の各センサー類やエンコーダー等からの出力信号等に基づいて、インクジェットプリンター１の各種制御を実行するための演算処理やその他必要な演算処理を行う。ＲＯＭ２３には、ＣＰＵ２５によるインクジェットプリンター１の制御に必要な記録制御プログラム（ファームウェア）等が格納されており、記録制御プログラムの処理に必要な各種データ等はＥＥＰＲＯＭ２４に記憶されている。ＲＡＭ２２は、ＣＰＵ２５の作業領域や記録データ等の一時格納領域として使用される。
【００３２】
制御部２０は、ＤＣモーターであるＣＲモーター３０、ＰＦモーター３１、の回転制御並びにインクジェット記録ヘッド１２の駆動制御を行うための制御回路、即ちＣＲモータードライバー２８、ＰＦモータードライバー２９、ヘッドドライバー２７、のこれらを有している。尚、ＣＲモーター３０はキャリッジ１１の駆動源であり、ＰＦモーター３１は搬送ローラー対１４及び排出ローラー対１５の駆動源である。
【００３３】
制御ＡＳＩＣ２１は、ＣＰＵ２５から送られてくる制御命令、ＰＦロータリーエンコーダー３４の出力信号、ＣＲリニアエンコーダー３３の出力信号、に基づいて、上記各モーターの回転制御を行うための各種演算を行い、その演算結果に基づくモーター制御信号をＣＲモータードライバー２８やＰＦモータードライバー２９へ送出する。
【００３４】
また、制御ＡＳＩＣ２１は、ＣＰＵ２５から送出される記録データ等に基づいて、インクジェット記録ヘッド１２の制御信号を演算生成してヘッドドライバー２７へ送出し、インクジェット記録ヘッド１２を駆動制御する。
【００３５】
尚、ＣＲリニアエンコーダー３３は、キャリッジ１１の位置を検出する手段であり、ＰＦロータリーエンコーダー３４は、搬送ローラー対１４及び排出ローラー対１５の回転量を検出する手段である。また、用紙検出センサー３５は、搬送ローラー対１４の上流側近傍に設けられた、用紙の通過を検出する手段であり、ＰＷセンサー３６は、キャリッジ１１の底面に設けられた、用紙の有無を検出（ひいては、用紙幅を検出）する手段である。
【００３６】
以上がインクジェットプリンター１の制御系統であり、以下、制御部２０が備える、記録モードの一つとしてのカバー出力モードについて説明する。  
図４において符号４０は用紙給送口（開口部）９を覆う用紙給送口カバーを、符号４１は用紙排出口（開口部）４を覆う用紙排出口カバーを、それぞれ示している。
【００３７】
用紙給送口カバー４０及び用紙排出口カバー４１は、いずれもペーパークラフトによって形成されたものであり、それぞれ図８に示すクラフトペーパーＰ１、及び図９に示すクラフトペーパーＰ２から作成することができる。
【００３８】
用紙給送口カバー４０は、用紙給送口９を覆うとともに、用紙サポート部材３のほぼ全域を覆うような形状を成しており、用紙給送口９に所定枚数の用紙Ｐがセットされた状態であっても、その状態のまま、セットされた用紙Ｐともに用紙給送口９を覆うことができる様に形成されている。
【００３９】
図６は用紙給送口カバー４０の斜視図であり、図示するようにその上端には折り曲げ部４０ｄが形成される。折り曲げ部４０ｄは、用紙給送口カバー４０を装着する際に、用紙サポート部材３の上部に形成された凹部３ａ（図１）に係止させることで、用紙給送口カバー４０を容易に外れない様拘束する機能を果たす。
【００４０】
また下端部には折り曲げ部４０ａが形成されており、更にその下には延長部４０ｂと、その先端に折り曲げ部４０ｃ、４０ｃが形成されている。折り曲げ部４０ｃ、４０ｃは、用紙給送口９の内部に設けられたフレーム端部１ｂ（図５）に係止させることで、上端に形成された折り曲げ部４０ｄと同様に、用紙給送口カバー４０を容易に外れない様拘束する機能を果たす。
【００４１】
次いで用紙排出口カバー４１は、図４に示すように排紙トレイ５の全体を包むことのできる大きさに形成されており、装着状態では図４に示す様に排紙トレイ５の全体を包むとともに用紙排出口４を塞ぐ形状に形成されている。
【００４２】
用紙排出口カバー４１の先端部（排紙トレイ５の基端側）には図７に示すように折り曲げ部４０ａが形成されており、用紙排出口カバー４１を装着する際に、用紙排出口４の上側フレーム端部１ｃに係止させることで、用紙排出口カバー４１を容易に外れない様拘束する機能を果たす。
【００４３】
これら用紙給送口カバー４０及び用紙排出口カバー４１は、上述したとおりペーパークラフトによって作成する。インクジェットプリンター１の制御部２０は、これらカバーをペーパークラフトにより作成する際に用紙に形成すべき輪郭線及び折り曲げ線を、記録手段としてのインクジェット記録ヘッド１２により記録する記録モード（カバー出力モード）を備えている。
【００４４】
インクジェットプリンター１の装置本体１ａの上面に設けられた操作部３８には、このカバー出力モードを実行させる為のカバー出力釦３９（図３）が設けられており、用紙をセットしてカバー出力釦３９を押下することで、図８及び図９に示す内容が出力されるようになっている。尚、本実施形態ではカバー出力釦３９を押下することで、図８及び図９に示す内容のいずれもが出力されるよう設定されているが、いずれかを選択して出力するよう構成しても良い。
【００４５】
図８及び図９において、一点鎖線は山折り線を示し、破線は谷折り線を示し、実線は切り取り線（輪郭線）を示している。従って図８及び図９に示す、記録済みの記録用紙について、輪郭線に沿って切り取り、そして山折り線と谷折り線で折り曲げることにより、図６及び図７に示すような、そのプリンターに適した形状・大きさの用紙給送口カバー４０及び用紙排出口カバー４１を作成することができる。
【００４６】
尚、図８において符号４０ｅ、４０ｅはのりしろ部を示しており、当該のりしろ部４０ｅを、隣接する折り曲げ部４０ｆの裏側にのり付けすることで、用紙給送口カバー４０を形成する。また図９において符号４１ｂ、４１ｂは舌片部を、符号４１ｃ、４１ｃはスリットを示しており、舌片部４１ｂをスリット４１ｃに差し込むことで、用紙排出口カバー４１を形成する。
【００４７】
以上説明したようにインクジェットプリンター１の制御部２０は、インクジェットプリンター１の開口部（本実施形態では、用紙給送口９及び用紙排出口４）を覆うカバー（本実施形態では、用紙給送口カバー４０及び用紙排出口カバー４１）をペーパークラフトにより作成する際に用紙に形成すべき輪郭線及び折り曲げ線を用紙に記録する記録モードを備えているので、インクジェットプリンター１に用紙をセットし、前記記録モードを実行すれば、カバーそれ自体をペーパークラフトにより作成することができる。
【００４８】
従ってユーザーは別途カバーを購入することなく、前記記録モードを実行してカバーを作成することができる上に、作成したカバーを紛失・破損した場合であっても、容易に且つ速やかに、再び同じカバーを得ることができる。また、装置と一体的に設けられた、本来は他の目的で設けられた構成要素をカバーとして利用する必要もなく、装置の設計の自由度が低下することを防止できる。
【００４９】
尚、以上説明した実施形態は一例であり、種々の変形が可能であることは言うまでもない。例えば、本実施形態では用紙給送口９及び用紙排出口４を覆うカバーをそれぞれ形成したが、それ以外の開口部を覆うカバーを作成可能であることは言うまでもない。
【符号の説明】
【００５０】
１  インクジェットプリンター、１ａ  プリンター本体、２  キャリーハンドル、３  用紙サポート部材、４  用紙排出口、５  排紙トレイ、６  記憶媒体装着口、８  前面モニター、９  用紙給送口、１１  キャリッジ、１２  インクジェット記録ヘッド、１３  用紙支持部材、１４  搬送ローラー対、１５  排出ローラー対、２０  制御部、２１  制御ＡＳＩＣ、２２  ＲＡＭ、２３  ＲＯＭ、２４  ＥＥＰＲＯＭ、２５  ＣＰＵ、２６  タイマーＩＣ、２７  ヘッドドライバー、２８  ＣＲモータードライバー、２９  ＰＦモータードライバー、３０  ＣＲモーター、３１  ＰＦモーター、３２  モニター位置センサー、３３  ＣＲリニアエンコーダー、３４  ＰＦロータリーエンコーダー、３５  用紙検出センサー、３６  ＰＷセンサー、３７  データ読取部、３８  操作部、３９  カバー出力釦、Ｐ  記録用紙
【図１】
2011042476.tif 000003
【図２】
2011042476.tif 000004
【図３】
2011042476.tif 000005
【図４】
2011042476.tif 000006
【図５】
2011042476.tif 000007
【図６】
2011042476.tif 000008
【図７】
2011042476.tif 000009
【図８】
2011042476.tif 000010
【図９】
2011042476.tif 000011